(57)【特許請求の範囲】
【請求項１】
移動局であって、
マスター無線基地局配下のセルにおいて接続状態である場合に、セカンダリ無線基地局配下の複数のセカンダリセルが設定される場合に、前記複数のセカンダリセルの中でＳｃｅｌｌ用ＰＵＣＣＨが設定されているセカンダリセルをアクティブ化するように構成されている制御部を具備することを特徴とする移動局。
【請求項２】
マスター無線基地局及びセカンダリ無線基地局配下のコンポーネントキャリアを用いて同時通信を行うことができるように構成されている移動局であって、
前記同時通信において、前記セカンダリ無線基地局配下のセカンダリセルがアクティブ化される場合に、該セカンダリセルにおけるランダムアクセス手順を起動するように構成されている制御部を具備し、
前記ランダムアクセス手順で用いられるｄｅｄｉｃａｔｅｄ  ｐｒｅａｍｂｌｅは、前記セカンダリセルが設定される際のＲＲＣメッセージによって指定されるように構成されていることを特徴とする移動局。
【発明の詳細な説明】
【技術分野】
【０００１】
本発明は、移動局に関する。
【背景技術】
【０００２】
ＬＴＥ方式において、ＣＡ（Ｃａｒｒｉｅｒ  Ａｇｇｒｉｇａｔｉｏｎ）を行う際には、移動局ＵＥに対して、接続性を担保する（信頼性の高い）セルであるＰｃｅｌｌ（Ｐｒｉｍａｒｙ  ｃｅｌｌ）及び付随的なセルであるＳｃｅｌｌ（Ｓｅｃｏｎｄａｒｙ  ｃｅｌｌ）を設定するように構成されている。
【０００３】
移動局ＵＥは、まず、Ｐｃｅｌｌに接続し、必要に応じて、Ｓｃｅｌｌを追加することができる。
【０００４】
Ｐｃｅｌｌは、ＬＴＥ方式と同様に、ＲＬＭ（Ｒａｄｉｏ  Ｌｉｎｋ  Ｍｏｎｉｔｏｒｉｎｇ）やＳＰＳ（Ｓｅｍｉ-Ｐｅｒｓｉｓｔｅｎｔ  Ｓｃｈｅｄｕｌｉｎｇ）等をサポートするセルであり、移動局ＵＥとネットワークとの間の接続性を担保するように構成されている。
【０００５】
なお、Ｐｃｅｌｌを変更する場合には、ハンドオーバ手順を実行する必要がある。
【０００６】
また、Ｓｃｅｌｌは、Ｐｃｅｌｌに追加されて移動局ＵＥに設定されるセルである。ＲＲＣのｃｏｎｆｉｇｕｒａｔｉｏｎで、Ｓｅｌｌの追加及び削除を行うことができる。
【０００７】
Ｓｃｅｌｌは、移動局ＵＥに設定された直後は、非アクティブ（ｄｅａｃｔｉｖｅ）状態であるため、ＭＡＣ（Ｍｅｄｉａ  Ａｃｃｅｃｃ  Ｃｏｎｔｒｏｌ）レイヤにおいてアクティブ化することで初めて通信可能な状態（スケジューリング可能な状態）となる。となる。
【０００８】
具体的には、移動局ＵＥは、ネットワークから「Ａｃｔｉｖａｔｅ  ｃｏｍｍａｎｄ」を受信すると、対応するＳｃｅｌｌをアクティブ化するが、ネットワークは、どのタイミングで移動局ＵＥがＳｃｅｌｌをアクティブ化するか分からないため、適切なスケジューリングのタイミングを把握することができないという問題点があった。
【０００９】
そこで、かかる問題点を解決するために、ＬＴＥ方式のＲｅｌｅａｓｅ-１０/１１において、ネットワーク（無線基地局ｅＮＢ）は、図５に示すように、移動局ＵＥからＳｃｅｌｌに係るＣＱＩ（Ｃｈａｎｎｅｌ  Ｑｕａｌｉｔｙ  Ｉｎｄｉｃａｔｉｏｎ）の受信を以って、かかるＳｃｅｌｌがアクティブ化されたものと見なし、スケジューリングを開始することができるものとした。
【００１０】
さらに、ＬＴＥ方式では、移動局ＵＥと無線基地局ｅＮＢとの間で上りリンクタイミングを確立するために、ＲＡＣＨ手順（ＲＡ  ｐｒｏｃｅｄｕｒｅ）を起動するように構成されている。
【００１１】
ＲＡＣＨ手順は、「Ｉｎｔｉｔｉａｌ  Ａｃｃｅｓｓ手順」や「ＵＬ/ＤＬ  ｄａｔａ  ｒｅｓｕｍｉｎｇ手順」やハンドオーバ手順や「Ｔｉｍｉｎｇ  ａｌｉｇｎｍｅｎｔ  ｏｎ  Ｓｃｅｌｌ手順」等を契機として起動されるように構成されている。
【００１２】
また、ＲＡＣＨ手順は、「Ｎｏｎ-ｃｏｎｔｅｎｔｉｏｎ  ｂａｓｅｄ（ｃｏｎｔｅｎｔｉｏｎ  ｆｒｅｅ）  ＲＡ手順」及び「Ｃｏｎｔｅｎｔｉｏｎ  ｂａｓｅｄ  ＲＡ手順」の２種類に大別される。
【００１３】
「Ｎｏｎ-ｃｏｎｔｅｎｔｉｏｎ  ｂａｓｅｄ  ＲＡ手順」は、ネットワークからの指示により起動されるＲＡＣＨ手順であり、「ＤＬ  ｄａｔａ  ｒｅｓｕｍｉｎｇ手順」やハンドオーバ手順等を契機として起動されるように構成されている。
【００１４】
なお、移動局ＵＥは、ネットワークにおって指定された「ｄｅｄｉｃａｔｅｄ  ｐｒｅａｍｂｌｅ」を用いて「Ｎｏｎ-ｃｏｎｔｅｎｔｉｏｎ  ｂａｓｅｄ  ＲＡ手順」を起動するように構成されている。
【００１５】
一方、「Ｃｏｎｔｅｎｔｉｏｎ  ｂａｓｅｄ  ＲＡ手順」は、移動局ＵＥによって自律的に起動されるＲＡＣＨ手順であり、「Ｉｎｔｉｔｉａｌ  Ａｃｃｅｓｓ手順」や「ＵＬ  ｄａｔａ  ｒｅｓｕｍｉｎｇ手順」等を契機として起動されるように構成されている。
【００１６】
また、「Ｃｏｎｔｅｎｔｉｏｎ  ｂａｓｅｄ  ＲＡ手順」は、上述の「ｄｅｄｉｃａｔｅｄ  ｐｒｅａｍｂｌｅ」が不足された際に、ネットワーク主導で起動される場合もある。
【００１７】
さらに、ＬＴＥ方式のＲｅｌｅａｓｅ-１０までで規定されているＣＡ（Ｃａｒｒｉｅｒ  Ａｇｇｒｅｇａｔｉｏｎ、キャリアアグリゲーション）では、図６（ａ）に示すように、同一の無線基地局ｅＮＢ配下のＣＣ（Ｃｏｍｐｏｎｅｎｔ  Ｃａｒｒｉｅｒ、コンポーネントキャリア）＃１及びＣＣ＃２を用いて同時通信を行うことで高いスループットを実現することが可能であった。
【００１８】
一方、ＬＴＥ方式のＲｅｌｅａｓｅ-１２では、ＬＴＥ方式のＲｅｌｅａｓｅ-１０までのＣＡを拡張して、図６（ｂ）に示すように、異なる無線基地局ｅＮＢ＃１/ｅＮＢ＃２配下のＣＣ＃１/ＣＣ＃２を用いて同時通信を行うことで高いスループットを実現する「Ｉｎｔｅｒ-ｅＮＢ  ＣＡ（或いは、Ｉｎｔｅｒ-ｎｏｄｅ  ＵＰ  ａｇｇｒｅｇａｔｉｏｎ）」が検討されている（非特許文献１参照）。
【００１９】
例えば、全てのＣＣを単一の無線基地局ｅＮＢ内に収容することができない場合に、ＬＴＥ方式のＲｅｌｅａｓｅ-１０と同程度のスループットを実現するためには、「Ｉｎｔｅｒ-ｅＮＢ  ＣＡ」を行うことが必要となる。
【先行技術文献】
【非特許文献】
【００２０】
【非特許文献１】３ＧＰＰ寄書Ｒ２-１３１７８２
【発明の概要】
【発明が解決しようとする課題】
【００２１】
上述のように、ＬＴＥ方式における「Ｉｎｔｅｒ-ｅＮＢ  ＣＡ」では、無線基地局ＳｅＮＢを設定する際に、かかる無線基地局ＳｅＮＢ配下のＳｃｅｌｌが全て非アクティブ状態であり、無線基地局ＳｅＮＢからの「Ａｃｔｉｖａｔｅ  ｃｏｍｍａｎｄ」が移動局ＵＥに届かないため、無線基地局ＭｅＮＢが、移動局ＵＥに対して「Ａｃｔｉｖａｔｅ  ｃｏｍｍａｎｄ」を送信することが想定される。
【００２２】
しかしながら、かかる場合、無線基地局ＭｅＮＢは、異なる無線基地局ＳｅＮＢ配下のＳｃｅｌｌのアクティブ状態を管理しなければならず、実装が複雑になってしまうという問題点があった。
【００２３】
また、従来のＬＴＥ方式では、Ｓｃｅｌｌをアクティブ化するタイミングは移動局ＵＥの実装に依存しているため、無線基地局ＳｅＮＢが設定された時点では、無線基地局ＳｅＮＢは、いつから配下のＳｃｅｌｌに対してスケジューリングが可能であるか分からないという問題点があった。
【００２４】
そこで、本発明は、上述の課題に鑑みてなされたものであり、無線基地局ＭｅＮＢの実装を複雑にすることなく、「Ｉｎｔｅｒ-ｅＮＢ  ＣＡ」を実現することを可能とする移動局を提供することを目的とする。
【００２５】
また、本発明は、設定された無線基地局ＳｅＮＢに対して配下のＳｃｅｌｌにおいてスケジューリングを開始することができるタイミングを知らせることができる移動局を提供することを目的とする。
【課題を解決するための手段】
【００２６】
本発明の第１の特徴は、移動局であって、マスター無線基地局配下のセルにおいて接続状態である場合に、セカンダリ無線基地局配下のセカンダリセルが設定される場合に、自律的に、該セカンダリセルをアクティブ化するように構成されている制御部を具備することを要旨とする。
【００２７】
本発明の第２の特徴は、マスター無線基地局及びセカンダリ無線基地局を用いてキャリアアグリゲーションを行うことができるように構成されている移動局であって、前記キャリアアグリゲーションにおいて、前記セカンダリ無線基地局配下のセカンダリセルがアクティブ化される場合に、該セカンダリセルにおけるランダムアクセス手順を起動するように構成されている制御部を具備することを要旨とする。
【発明の効果】
【００２８】
以上説明したように、本発明によれば、無線基地局ＭｅＮＢの実装を複雑にすることなく、「Ｉｎｔｅｒ-ｅＮＢ  ＣＡ」を実現することを可能とする移動局を提供することができる。
【００２９】
また、本発明によれば、設定された無線基地局ＳｅＮＢに対して配下のＳｃｅｌｌにおいてスケジューリングを開始することができるタイミングを知らせることができる移動局を提供することができる。
【図面の簡単な説明】
【００３０】
【図１】本発明の第１の実施形態に係る移動通信システムの全体構成図である。
【図２】本発明の第１の実施形態に係る移動局の機能ブロック図である。
【図３】本発明の第１の実施形態に係る移動局の動作を説明するためのフローチャートである。
【図４】本発明の第２の実施形態に係る移動局の動作を説明するためのフローチャートである。
【図５】従来技術を説明するための図である。
【図６】従来技術を説明するための図である。
【発明を実施するための形態】
【００３１】
（本発明の第１の実施形態に係る移動通信システム）
図１乃至図３を参照して、本発明の第１の実施形態に係る移動通信システムについて説明する。
【００３２】
本実施形態に係る移動通信システムは、ＬＴＥ方式（或いは、ＬＴＥ-Ａｄｖａｎｃｅｄ方式）の移動通信システムであって、図１に示すように、無線基地局ＭｅＮＢと、無線基地局ＳｅＮＢとを具備している。
【００３３】
本実施形態に係る移動通信システムでは、移動局ＵＥは、無線基地局ＭｅＮＢ及び無線基地局ＳｅＮＢを用いて「Ｉｎｔｅｒ-ｅＮＢ  ＣＡ」を行うことができるように構成されている。
【００３４】
また、本実施形態に係る移動通信システムでは、図１に示すように、移動局ＵＥが、無線基地局ＭｅＮＢ配下のＰｃｅｌｌにおいて「ＲＲＣ_Ｃｏｎｎｅｃｔｅｄ状態」である場合に、移動局ＵＥに対して、無線基地局ＳｅＮＢ配下のＳｃｅｌｌ（Ｓｐｅｃｉａｌ  ｃｅｌｌ）が設定されるケースを例に挙げて説明する。
【００３５】
ここで、「Ｓｐｅｃｉａｌ  ｃｅｌｌ」は、ＰＵＣＣＨ（Ｐｈｙｓｉｃａｌ  Ｕｐｌｉｎｋ  Ｃｏｎｔｒｏｌ  Ｃｈａｎｎｅｌ）がサポートされているセル出あってもよいし、「Ｃｏｎｔｅｎｔｉｏｎ  ｂａｓｅｄ  ＲＡＣＨ手順」がサポートされているセルであってもよいし、無線基地局ＳｅＮＢに対して初めて設定されるセルであってもよいし、ＲＬＭ（Ｒａｄｉｏ  Ｌｉｎｋ  Ｍｏｎｉｔｏｒｉｉｎｇ）が設定されているセルであってもよい。
【００３６】
図２に示すように、本実施形態に係る移動局ＵＥは、受信部１１と、送信部１２と、制御部１３とを具備している。
【００３７】
受信部１１は、無線基地局ＭｅＮＢ/ＳｅＮＢから各種信号を受信するように構成されており、送信部１２は、無線基地局ＭｅＮＢ/ＳｅＮＢに対して各種信号を送信するように構成されており、制御部１３は、移動局ＵＥの通信に係る各種制御を行うように構成されている。
【００３８】
ここで、制御部１３は、移動局ＵＥが、無線基地局ＭｅＮＢ配下のＰｃｅｌｌにおいて「ＲＲＣ_Ｃｏｎｎｅｃｔｅｄ状態」である場合に、移動局ＵＥに対して、無線基地局ＳｅＮＢ配下のＳｃｅｌｌが設定されるケースにおいて、自律的に、かかるＳｃｅｌｌをアクティブ化するように構成されている。
【００３９】
ここで、制御部１３は、かかるケースにおいて、無線基地局ＳｅＮＢ配下において初めて設定されたＳｃｅｌｌのみをアクティブ化するように構成されていてもよい。
【００４０】
また、制御部１３は、上述のケースにおいて、無線基地局ＳｅＮＢ配下において複数のＳｃｅｌｌが設定される場合、かかる複数のＳｃｅｌｌのうちネットワーク（無線基地局ＭｅＮＢ或いは無線基地局ＳｅＮＢ）から指定されたＳｃｅｌｌをアクティブ化するように構成されていてもよい。
【００４１】
ここで、ネットワークは、アクティブ化するＳｃｅｌｌについて、ＣｅｌｌＩｎｄｅｘやＳｃｅｌｌＩｎｄｅｘによって指定するように構成されていてもよい。
【００４２】
なお、制御部１３は、上述のケースにおいて、無線基地局ＳｅＮＢ配下において複数のＳｃｅｌｌが設定される場合、ネットワークによってアクティブ化するＳｃｅｌｌについて指定されない場合には、設定された全てのＳｃｅｌｌをアクティブ化するように構成されていてもよい。
【００４３】
また、制御部１３は、上述のケースにおいて、無線基地局ＳｅＮＢ配下において複数のＳｃｅｌｌが設定される場合、かかる複数のＳｃｅｌｌのうち最も下り無線品質が良いＳｃｅｌｌをアクティブ化するように構成されていてもよい。
【００４４】
ここで、下り無線品質としては、ＣＱＩや、ＲＳＲＰ（Ｒｅｆｅｒｅｎｃｅ  Ｓｉｇｎａｌ  Ｒｅｃｅｉｖｅｄ  Ｐｏｗｅｒ）や、ＲＳＲＰ（Ｒｅｆｅｒｅｎｃｅ  Ｓｉｇｎａｌ  Ｒｅｃｅｉｖｅｄ  Ｑｕａｌｉｔｙ）等が用いられてもよい。
【００４５】
また、制御部１３は、上述のケースにおいて、無線基地局ＳｅＮＢ配下において複数のＳｃｅｌｌが設定される場合、かかる複数のＳｃｅｌｌのうちＰＲＡＣＨ（Ｐｈｙｓｉｃａｌ  Ｒａｎｄｏｍ  Ａｃｃｅｓｓ  Ｃｈａｎｎｅｌ）が設定されているＳｃｅｌｌをアクティブ化するように構成されていてもよい。
【００４６】
また、制御部１３は、上述のケースにおいて、無線基地局ＳｅＮＢ配下において複数のＳｃｅｌｌが設定される場合、かかる複数のＳｃｅｌｌのうちＳｃｅｌｌ用ＰＵＣＣＨ（Ｐｈｙｓｉｃａｌ  Ｕｐｌｉｎｋ  Ｃｏｎｔｒｏｌ  Ｃｈａｎｎｅｌ）が設定されているＳｃｅｌｌをアクティブ化するように構成されていてもよい。
【００４７】
また、制御部１３は、上述のケースにおいて、無線基地局ＳｅＮＢ配下において複数のＳｃｅｌｌが設定される場合、かかる複数のＳｃｅｌｌのうち最もＣｅｌｌＩｎｄｅｘ/ＳｃｅｌｌＩｎｄｅｘが大きいＳｃｅｌｌ或いは最もＣｅｌｌＩｎｄｅｘ/ＳｃｅｌｌＩｎｄｅｘが小さいＳｃｅｌｌをアクティブ化するように構成されていてもよい。
【００４８】
さらに、制御部１３は、上述のケースにおいて、無線基地局ＳｅＮＢ配下において複数のＳｃｅｌｌが設定される場合、かかる複数のＳｃｅｌｌのうち最も「ＳｃｅｌｌＤｅａｃｔｉｖａｔｉｏｎＴｉｍｅｒ」の値が長い（或いは、「Ｉｎｆｉｎｉｔｙ」に設定されている）Ｓｃｅｌｌをアクティブ化するように構成されていてもよい。
【００４９】
以下、図３を参照して、本実施形態に係る移動局ＵＥの具体的な動作の一例について説明する。
【００５０】
図３に示すように、移動局ＵＥが、ステップＳ１０１において、無線基地局ＭｅＮＢ配下のＰｃｅｌｌにおいて「ＲＲＣ_Ｃｏｎｎｅｃｔｅｄ状態」である場合に、移動局ＵＥに対して、無線基地局ＳｅＮＢ配下のＳｃｅｌｌ（Ｓｐｅｃｉａｌ  ｃｅｌｌ）が設定されたことを検出すると、ステップＳ１０２において、自律的に、かかるＳｃｅｌｌ（Ｓｐｅｃｉａｌ  ｃｅｌｌ）をアクティブ化する。
【００５１】
（本発明の第２の実施形態に係る移動通信システム）
以下、図４を参照して、本発明の第２の実施形態に係る移動通信システムについて、上述の第１の実施形態に係る移動通信システムとの相違点に着目して説明する。
【００５２】
本実施形態に係る移動通信システムでは、移動局ＵＥの制御部１３は、かかる「Ｉｎｔｅｒ-ｅＮＢ  ＣＡ」において、無線基地局ＳｅＮＢ配下のＳｃｅｌｌ（Ｓｐｅｃｉａｌ  ｃｅｌｌ）がアクティブ化される場合に、かかるＳｃｅｌｌにおけるＲＡＣＨ手順を起動するように構成されている。
【００５３】
ここで、制御部１３は、ネットワークからの指示に基づいてＳｃｅｌｌ（Ｓｐｅｃｉａｌ  ｃｅｌｌ）をアクティブ化する場合であっても、移動局ＵＥが自律的にＳｃｅｌｌ（Ｓｐｅｃｉａｌ  ｃｅｌｌ）をアクティブ化する場合であっても、ＲＡＣＨ手順を起動するように構成されている。
【００５４】
ここで、上述のＲＡＣＨ手順で用いられるＰＲＡＣＨ用リソース（ｄｅｄｉｃａｔｅｄ  ｐｒｅａｍｂｌｅ）は、上述のＳｃｅｌｌが設定される際のＲＲＣメッセージによって指定されるように構成されていてもよい。
【００５５】
なお、制御部１３は、上述のように、ＰＲＡＣＨ用リソースが指定されない場合には、ＲＡＣＨ手順として、「Ｃｏｎｔｅｎｔｉｏｎ  ｂａｓｅｄ  ＲＡ手順」を起動するように構成されていてもよい。
【００５６】
また、無線基地局ＳｅＮＢは、起動されたＲＡＣＨ手順において、移動局ＵＥに対して送信したＲＡＲ（Ｒａｎｄｏｍ  Ａｃｃｅｓｓ  Ｒｅｓｐｏｎｓｅ）で指定したＵＬ-ＳＣＨのＣＲＣ-ＯＫの受信を以って、かかるＳｃｅｌｌにおいて、スケジューリングが可能であると判断し、ＣＳＩ（Ｃｈａｎｎｅｌ  Ｓｔａｔｅ  Ｉｎｄｉｃａｔｏｒ）やＳＲＳ（Ｓｏｕｄｉｎｇ  Ｒｅｆｅｒｅｎｃｅ  Ｓｉｎｇａｌ）の受信を開始し、「ＳｃｅｌｌＤｅａｃｔｉｖａｔｉｏｎＴｉｍｅｒ」を起動する。
【００５７】
以下、図４を参照して、本実施形態に係る移動局ＵＥの具体的な動作の一例について説明する。
【００５８】
図４に示すように、移動局ＵＥが、ステップＳ２０１において、移動局ＵＥに対して設定された無線基地局ＳｅＮＢ配下のＳｃｅｌｌ（Ｓｐｅｃｉａｌ  ｃｅｌｌ）がアクティブ化されたことを検出すると、ステップＳ２０２において、自律的に、かかるＳｃｅｌｌ（Ｓｐｅｃｉａｌ  ｃｅｌｌ）におけるＲＡＣＨ手順を起動する。
【００５９】
以上に述べた本実施形態の特徴は、以下のように表現されていてもよい。
【００６０】
本実施形態の第１の特徴は、移動局ＵＥであって、無線基地局ＭｅＮＢ（マスター無線基地局）配下のＰｃｅｌｌ（セル）において「ＲＲＣ_Ｃｏｎｎｅｃｔｅｄ状態（接続状態）」である場合に、無線基地局ＳｅＮＢ（セカンダリ無線基地局）配下のＳｃｅｌｌ（セカンダリセル）が設定される場合に、自律的に、かかるＳｃｅｌｌをアクティブ化するように構成されている制御部１３を具備することを要旨とする。
【００６１】
かかる特徴によれば、無線基地局ＭｅＮＢが、無線基地局ＳｅＮＢ配下のＳｃｅｌｌのアクティブ状態を管理しなくても、無線基地局ＳｅＮＢが、かかるＳｃｅｌｌがアクティブ化されたタイミングを推定することができるので、無線基地局ＭｅＮＢの実装を複雑にすることなく、「Ｉｎｔｅｒ-ｅＮＢ  ＣＡ」を実現することができる。
【００６２】
本実施形態の第１の特徴において、制御部１３は、無線基地局ＳｅＮＢ配下において初めて設定されたＳｃｅｌｌのみをアクティブ化するように構成されていてもよい。
【００６３】
かかる特徴によれば、移動局ＵＥによって自律的にアクティブ化されるＳｃｅｌｌの数を最小限とすることができ、無駄なリソースの活用を回避しつつ、移動局ＵＥにおけるバッテリ消費量を低減することができる。
【００６４】
本実施形態の第１の特徴において、制御部１３は、無線基地局ＳｅＮＢ配下において複数のＳｃｅｌｌが設定される場合、かかる複数のＳｃｅｌｌのうちネットワークから指定されたＳｃｅｌｌをアクティブ化するように構成されていてもよい。
【００６５】
かかる特徴によれば、ネットワークオペレータの意向に沿ったＳｃｅｌｌをアクティブ化することで、無線基地局ＭｅＮＢの実装を複雑にすることなく「Ｉｎｔｅｒ-ｅＮＢ  ＣＡ」を実現するという本発明の目的を達成することができる。
【００６６】
本実施形態の第１の特徴において、制御部１３は、無線基地局ＳｅＮＢ配下において複数のＳｃｅｌｌが設定される場合、かかる複数のＳｃｅｌｌのうち最も下り無線品質が良いＳｃｅｌｌをアクティブ化するように構成されていてもよい。
【００６７】
かかる特徴によれば、通信環境が最もよいＳｃｅｌｌをアクティブ化することで、無線基地局ＭｅＮＢの実装を複雑にすることなく「Ｉｎｔｅｒ-ｅＮＢ  ＣＡ」を実現するという本発明の目的を達成しつつ、通信リソースの有効活用を図ることもできる。
【００６８】
本実施形態の第１の特徴において、制御部１３は、無線基地局ＳｅＮＢ配下において複数のＳｃｅｌｌが設定される場合、かかる複数のＳｃｅｌｌのうちＰＲＡＣＨが設定されているＳｃｅｌｌをアクティブ化するように構成されていてもよい。
【００６９】
かかる特徴によれば、「Ｉｎｔｅｒ-ｅＮＢ  ＣＡ」を行う際に重要なＳｃｅｌｌをアクティブ化しつつ、無線基地局ＭｅＮＢの実装を複雑にすることなく「Ｉｎｔｅｒ-ｅＮＢ  ＣＡ」を実現するという本発明の目的を達成することができる。
【００７０】
本実施形態の第１の特徴において、制御部１３は、無線基地局ＳｅＮＢ配下において複数のＳｃｅｌｌが設定される場合、かかる複数のＳｃｅｌｌのうちＳｃｅｌｌ用ＰＵＣＣＨが設定されているＳｃｅｌｌをアクティブ化するように構成されていてもよい。
【００７１】
かかる特徴によれば、「Ｉｎｔｅｒ-ｅＮＢ  ＣＡ」を行う際に重要なＳｃｅｌｌをアクティブ化しつつ、無線基地局ＭｅＮＢの実装を複雑にすることなく「Ｉｎｔｅｒ-ｅＮＢ  ＣＡ」を実現するという本発明の目的を達成することができる。
【００７２】
本実施形態の第１の特徴において、制御部１３は、無線基地局ＳｅＮＢ配下において複数のＳｃｅｌｌが設定される場合、かかる複数のＳｃｅｌｌのうち最もＣｅｌｌＩｎｄｅｘ/ＳｃｅｌｌＩｎｄｅｘ（インデックス番号）が大きいＳｃｅｌｌ或いは最もＣｅｌｌＩｎｄｅｘ/ＳｃｅｌｌＩｎｄｅｘが小さいＳｃｅｌｌをアクティブ化するように構成されていてもよい。
【００７３】
かかる特徴によれば、無線基地局ＭｅＮＢの実装を複雑にすることなく「Ｉｎｔｅｒ-ｅＮＢ  ＣＡ」を実現するという本発明の目的を達成するためにアクティブ化したＳｃｅｌｌの管理を容易にすることができる。
【００７４】
本実施形態の第１の特徴において、制御部１３は、無線基地局ＳｅＮＢ配下において複数のＳｃｅｌｌが設定される場合、かかる複数のＳｃｅｌｌのうち最も「ＳｃｅｌｌＤｅａｃｔｉｖａｔｉｏｎＴｉｍｅｒ（非アクティブ化タイマ）」の値が長いＳｃｅｌｌをアクティブ化するように構成されていてもよい。
【００７５】
かかる特徴によれば、非アクティブ状態に遷移するまでの期間が最も長いＳｃｅｌｌをアクティブ化することで、無線基地局ＭｅＮＢの実装を複雑にすることなく「Ｉｎｔｅｒ-ｅＮＢ  ＣＡ」を実現するという本発明の目的を達成しつつ、通信リソースの有効活用を図ることもできる。
【００７６】
本実施形態の第２の特徴は、無線基地局ＭｅＮＢ及び無線基地局ＳｅＮＢを用いて「Ｉｎｔｅｒ-ｅＮＢ  ＣＡ（キャリアアグリゲーション）」を行うことができるように構成されている移動局ＵＥであって、かかる「Ｉｎｔｅｒ-ｅＮＢ  ＣＡ」において、無線基地局ＳｅＮＢ配下のＳｃｅｌｌがアクティブ化される場合に、ＲＡＣＨ手順（ランダムアクセス手順）を起動するように構成されている制御部１３を具備することを要旨とする。
【００７７】
かかる特徴によれば、移動局ＵＥが、設定された無線基地局ＳｅＮＢに対して配下のＳｃｅｌｌにおいてスケジューリングを開始することができるタイミングを知らせることができる。
【００７８】
本実施形態の第２の特徴において、上述のＲＡＣＨ手順で用いられるＰＲＡＣＨ用リソースは、上述のＳｃｅｌｌが設定される際のＲＲＣメッセージによって指定されるように構成されていてもよい。
【００７９】
かかる特徴によれば、上述のＳｃｅｌｌが設定される際のＲＲＣメッセージを利用することで、無駄なメッセージの送信を回避することができる。
【００８０】
なお、上述の移動局ＵＥ及び無線基地局ＭｅＮＢ/ＳｅＮＢの動作は、ハードウェアによって実施されてもよいし、プロセッサによって実行されるソフトウェアモジュールによって実施されてもよいし、両者の組み合わせによって実施されてもよい。
【００８１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ＭｅＮＢ/ＳｅＮＢ内に設けられていてもよい。また、かかる記憶媒体及びプロセッサは、ディスクリートコンポーネントとして移動局ＵＥ及び無線基地局ＭｅＮＢ/ＳｅＮＢ内に設けられていてもよい。
【００８３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８４】
ＵＥ…移動局
ＭｅＮＢ、ＳｅＮＢ…無線基地局
１１…受信部
１２…送信部
１３…制御部
【図１】
0006410774.tif 000002
【図２】
0006410774.tif 000003
【図３】
0006410774.tif 000004
【図４】
0006410774.tif 000005
【図５】
0006410774.tif 000006
【図６】
0006410774.tif 000007